(57)【要約】【課題】片手での胴部の持ち易さを改善したプラスチックボトル。【解決手段】プラスチックボトル１は、胴部４を備える。胴部４は、前壁４１、後壁４２、左側壁４３及び右側壁４４を含む複数の壁によって画定される略方形の横断面形状を有する。前後の壁４１，４２の少なくとも一方には、指先を挿入できて引っ掛けることができるように形成された一対の凹部５６、５７を備える。一対の凹部５６，５７は、柱部５８によって左右に隔てられる。凹部５６，５７は、それぞれ、底壁９１と、底壁９１から柱部５８側に立ち上がる第１の側壁９４と、第１の側壁９４と対向するように底壁９１から立ち上がる第２の側壁９５と、を有する。第２の側壁９５は、横断面形状におけるコーナー部４６ｂに沿って延在する頂部９８を有する。【選択図】図１
2009096511.tif 000002
【特許請求の範囲】
【請求項１】
少なくとも前壁、後壁、左側壁及び右側壁を含む複数の壁によって画定される略方形の横断面形状を有する胴部と、
前記前後の壁の少なくとも一方に、指先を挿入できて引っ掛けることができるように形成された一対の凹部と、
前記一対の凹部を左右に隔てる柱部と、を備え、
前記凹部は、
底壁と、
前記底壁から前記柱部側に立ち上がる第１の側壁と、
前記第１の側壁と対向するように前記底壁から立ち上がる第２の側壁と、を有し、
前記第２の側壁は、前記横断面形状におけるコーナー部に沿って延在する頂部を有する、プラスチックボトル。
【請求項２】
前記第１の側壁は、前記第２の側壁よりも、前記底壁からの立ち上がり角度が緩やかである、請求項１に記載のプラスチックボトル。
【請求項３】
前記第１の側壁は、前記凹部に挿入された指の先端が中心軸側に傾くように上下方向に対して傾斜した部位を有する、請求項１又は２に記載のプラスチックボトル。
【請求項４】
前記凹部は、前記第１の側壁と前記第２の側壁との間の上側部分を連結する第３の側壁を有し、
前記第３の側壁は、上方に膨らむように湾曲している、請求項１ないし３のいずれ一項に記載のプラスチックボトル。
【請求項５】
前記凹部は、前記前後の壁に対向して形成されている、請求項１ないし４のいずれか一項に記載のプラスチックボトル。
【請求項６】
前記複数の壁は、前記前壁、後壁、左側壁及び右側壁のそれぞれの間をつなぐコーナー壁を有しており、
前記前壁に形成された頂部は、前記前壁がコーナー壁につながるコーナー部に沿って延在し、
前記後壁に形成された頂部は、前記後壁がコーナー壁につながるコーナー部に沿って延在する、請求項１ないし５のいずれか一項に記載のプラスチックボトル。
【請求項７】
前記凹部は、当該プラスチックボトルが流体を満杯に貯留したときの重心の近傍に位置する、請求項１ないし６のいずれか一項に記載のプラスチックボトル。
【請求項８】
前記横断面形状は、前記前後の壁の長さが前記左右の側壁の長さよりも長い略長方形の横断面形状であり、
前記胴部は、
上側胴部と、
下側胴部と、
前記上側胴部と前記下側胴部との間にあり、前記重心を内部に有すると共に前記凹部が形成された中部胴部と、からなり、
前記中部胴部は、その前側及び後側から見たときに前記上側胴部及び下側胴部よりも内側に湾曲するくびれ部を、前記左右の側壁に有する、請求項７に記載のプラスチックボトル。
【請求項９】
前記くびれ部は、前記中部胴部の高さの全域に亘って形成されている、請求項８に記載のプラスチックボトル。
【請求項１０】
前記胴部の上端に連続する肩部と、
前記胴部の下端に連続する底部と、
前記肩部、前記胴部及び前記底部の少なくとも一つに形成された補強用の凹リブと、を備え、
前記凹リブの底面の横断面形状は、当該凹リブのない部分における前記略方形の横断面形状と非相似である、請求項１ないし９のいずれか一項に記載のプラスチックボトル。
【発明の詳細な説明】
【技術分野】
【０００１】
本発明は、清涼飲料等の液体を貯留するプラスチックボトルに関し、特に、持ち易いプラスチックボトルに関するものである。
【背景技術】
【０００２】
ＰＥＴボトルに代表されるプラスチックボトルは、飲料を充填する容器として数多く市販されている。約１リットル〜２リットルの大容量のボトルとして、飲料を注ぐ時の持ち易さを改善したものがある。例えば、特許文献１及び２に記載のボトルでは、消費者が指を挿入して引っ掛けることができる指挿入凹部を胴部に形成している。このボトルでは、消費者が左右のどちらからでも片手で胴部を把持できるように、胴部の前壁及び後壁の各中央部に一つの指挿入凹部を形成している。指挿入凹部は環状の凹リブの一部を共有した構成からなり、それにより胴部の強度を確保しようとしている。
【特許文献１】特開２００５−２４７３９３号公報
【特許文献２】特許３０５９９７５号
【発明の開示】
【発明が解決しようとする課題】
【０００３】
しかし、ボトルの横断面形状や大きさによっては、手の小さい消費者は前後の指挿入凹部に指がとどかなかったり、とどいたとしても窮屈な把持となったりして、飲料を注ぎにくい場合がある。例えば、長方形の横断面形状のボトルにおいて、長辺側の壁に指挿入凹部が形成されていると、短辺側の壁から指挿入凹部までの距離が遠くなり、指挿入凹部を利用した片手での把持が難しくなってしまう。
このような問題を解決するべく、指挿入凹部を胴部の幅いっぱいにまで大きく形成することも考えられる。しかし、この構成では、胴部の強度（特に縦強度）並びに指挿入凹部の強度を低下させてしまう。
【０００４】
本発明は、胴部及び指挿入用の凹部の強度を確保しつつ、片手での胴部の持ち易さを改善したプラスチックボトルを提供することをその目的としている。
【課題を解決するための手段】
【０００５】
上記目的を達成するべく、本発明のプラスチックボトルは、少なくとも前壁、後壁、左側壁及び右側壁を含む複数の壁によって画定される略方形の横断面形状を有する胴部と、指先を挿入できて引っ掛けることができるように前後の壁の少なくとも一方に形成された一対の凹部と、一対の凹部を左右に隔てる柱部と、を備える。凹部は、底壁と、底壁から柱部側に立ち上がる第１の側壁と、第１の側壁と対向するように底壁から立ち上がる第２の側壁と、を有する。第２の側壁は、横断面形状におけるコーナー部に沿って延在する頂部を有する。
【０００６】
本発明によれば、手の小さい人であっても、一対の凹部の一方には指を容易に挿入できる。よって、人に窮屈な把持を強いなくて済み、片手での胴部の持ち易さを向上できる。一方で、一対の凹部の間には柱部があるので、胴部の縦強度を確保することもできる。また、略方形の横断面形状の部分のうち比較的強度が高いコーナー部を利用して、第２の側壁の頂部を形成している。これにより、ボトルを傾けた際に指先が引っ掛かり得る第２の側壁について、その強度を効果的に向上できる。
【０００７】
好ましくは、第１の側壁は、第２の側壁よりも、底壁からの立ち上がり角度が緩やかであるとよい。
【０００８】
こうすることで、相対的に緩やかな第１の側壁によって、凹部への指先の挿入し易さを向上できる。また、相対的に急な第２の側壁によって、相対的に大きなリブ効果を発揮でき、その強度を向上できる。
【０００９】
好ましくは、第１の側壁は、凹部に挿入された指の先端が中心軸側に傾くように上下方向に対して傾斜した部位を有するとよい。
【００１０】
こうすることで、例えば流体の注ぎ口がボトルの中心軸上にある場合に有用となる。具体的には、流体を注ぐためにボトルを傾けた際に、凹部での指の収まりが安定するようになる。これにより、流体を注ぎ易い。
【００１１】
好ましくは、凹部は、第１の側壁と第２の側壁との間の上側部分を連結する第３の側壁を有するとよく、第３の側壁は、上方に膨らむように湾曲するとよい。
【００１２】
こうすることで、第３の側壁がストレート（平坦）である場合に比べて、指先が第３の側壁に適合し易くなる。また、第３の側壁に荷重が加わった場合の応力集中を防ぎ、ボトルが屈曲することを防止できる。
【００１３】
好ましくは、凹部は、前後の壁に対向して形成されているとよい。
【００１４】
こうすることで、前後にある凹部に指先を引っ掛けることができるので、ボトルの持ち易さをより一層向上できる。
【００１５】
好ましくは、複数の壁は、前壁、後壁、左側壁及び右側壁のそれぞれの間をつなぐコーナー壁を有するとよい。そして、前壁に形成された頂部は、前壁がコーナー壁につながるコーナー部に沿って延在するとよく、後壁に形成された頂部は、後壁がコーナー壁につながるコーナー部に沿って延在するとよい。
【００１６】
好ましくは、凹部は、プラスチックボトルが流体を満杯に貯留したときの重心の近傍に位置するとよい。
【００１７】
こうすることで、重心の近くで凹部に指先を引っ掛けることができるなど、持ち易さをさらに向上できる。また、安定したハンドリングが行え、流体を例えばグラスに注ぐ場合にボトルを横に傾ける動作においても持ち手を中心とした軌道で回転させることにより、安定した操作を行うことができる。
【００１８】
より好ましくは、横断面形状は、前後の壁の長さが左右の側壁の長さよりも長い略長方形の横断面形状であるとよい。胴部は、上側胴部と、下側胴部と、上側胴部と下側胴部との間にある中部胴部と、からなるとよい。中部胴部は、重心を内部に有すると共に凹部が形成されているとよい。また、中部胴部は、その前側及び後側から見たときに上側胴部及び下側胴部よりも内側に湾曲するくびれ部を、左右の側壁に有するとよい。
【００１９】
このような構成によれば、くびれ部によって左右の側壁から凹部までの距離を短くできる。これにより、中部胴部をより一層容易に把持できると共に、人に重心に近いところを持たせることが可能となる。また、くびれ部があることで、ボトルの把持する位置を人に暗に知らせることができる。
【００２０】
より好ましくは、くびれ部は、中部胴部の高さの全域に亘って形成されているとよい。
【００２１】
こうすることで、くびれ部を広い範囲に形成でき、持ち易さの向上のみならず、ボトルの意匠性も向上できる。
【００２２】
好ましくは、ボトルは、胴部の上端に連続する肩部と、胴部の下端に連続する底部と、肩部、胴部及び底部の少なくとも一つに形成された補強用の凹リブと、を備えるとよい。そして、凹リブの底面の横断面形状は、凹リブのない部分における略方形の横断面形状と非相似であるとよい。
【００２３】
こうすることで、凹リブによる横強度の補強効果を高めることができ、肩部、胴部又は底部の変形を抑制できる。
【発明を実施するための最良の形態】
【００２４】
以下、添付図面を参照して、本発明の好適な実施形態に係るプラスチックボトルについて説明する。
【００２５】
＜第１実施形態＞
図１及び図２に示すように、プラスチックボトル１（以下、「ボトル１」という。）は、例えば、ポリエチレン、ポリプロピレン、ポリエチレンテレフタレートなどの熱可塑性樹脂を主材料として、二軸延伸ブロー成形などの延伸成形法により成形される。ここでは、いわゆる角瓶型のボトル１に成形され、高さが約３００ｍｍ、容量が約２０００ｍｌとなっている。なお、容量は任意であるが、本発明のボトル１は、７００ｍｌ以上となる大容量のボトルに好適である。
【００２６】
成形後のボトル１は、洗浄・殺菌処理された後、飲料が充填される。飲料としては、水、緑茶、ウーロン茶又は果汁等の非炭酸飲料を挙げることができる。一般に、非炭酸飲料の場合にはボトル内圧が負圧となるため、ボトルの強度が弱く、その強度を確保するために凹リブがボトルに形成される。本実施形態のボトル１は、後述する凹リブ１１，１２などを有するので、非炭酸飲料を充填するのに好適なものである。ただし、他の実施態様では、ボトル１に充填される液体は、炭酸飲料、又はソースあるいはみりん等の食品でもよい。
【００２７】
ここで、本明細書で用いる各種の用語について以下のとおり定義する。
上下、左右、及び前後は、図１の紙面を基準とする。上下方向とは、ボトル１の中心軸Ｙ−Ｙの方向を意味する。ボトル１の左右の長さ及び前後の長さは、ボトル１の幅及び奥行きにそれぞれ相当する。高さとは、中心軸Ｙ−Ｙ方向に沿った長さを意味する。横断面形状とは、中心軸Ｙ−Ｙに直交する平面（横断面）におけるボトル１の断面形状を意味する。周方向とは、横断面形状の輪郭に沿って一周する方向を意味する。
【００２８】
ボトル１は、中心軸Ｙ−Ｙの上方から順に、口部２、肩部３、胴部４及び底部５を有する。これらの部分（２，３，４及び５）は、一体に形成され、内部に飲料を貯留可能なボトル壁を構成する。飲料が満杯に貯留された状態でのボトル１の重心Ｇは、中心軸Ｙ−Ｙ上にある。
【００２９】
口部２は、上端が開口しており、飲料の注ぎ口として機能する。口部２の開口は、図示省略したキャップにより開閉される。肩部３は、口部２の下端に連続している。肩部３の横断面形状は下方にかけて徐々に拡大し、肩部３の下端が胴部４の上端に連続している。肩部３は、胴部４との間を凹リブ１１によって境界付けられている。底部５は、底壁２１及び周壁２２で構成されている。周壁２２は、底壁２１の周縁から上方に拡開するように立ち上がる部分であり、円筒状に形成されている。周壁２２の上端に凹リブ１２が連続しており、底部５は胴部４との間を凹リブ１２によって境界付けられている。
【００３０】
なお、説明の便宜上、凹リブ１１、１２を用いて、肩部３、胴部４及び底部５を境界付けたが、胴部４の上端を凹リブ１１の上側に位置させたり、胴部４の下端を凹リブ１２の下側に位置させたりしてもよい。
【００３１】
胴部４は、肩部３と底部５との間で上下方向に延在する。胴部４は、中心軸Ｙ−Ｙを中心に、左右対称及び前後対称で形成されている。胴部４は、複数の壁４１〜４５によって、基本的に略長方形の横断面形状で構成されている。具体的には、図３に示すように、横断面形状は、前壁４１、後壁４２、左側壁４３及び右側壁４４と、これらの間をそれぞれつなぐ４つのコーナー壁４５と、からなる。前後の壁４１、４２の長さ（すなわち幅）は、左右の側壁４３，４４の長さ（すなわち奥行き）よりも長い。
【００３２】
図３に示すように、コーナー壁４５は、外側に湾曲した曲面であり、他の壁４１〜４４に、二つのコーナー部４６ａ及び４６ｂを介してつながる。コーナー部４６ａ及び４６ｂは、それぞれ、所定の半径で丸面取りされている。一つのコーナー壁４５におけるコーナー部４６ａ及び４６ｂの関係は、左右の側壁４３，４４につながるのがコーナー部４６ａであり、前後の壁４１，４２につながるのがコーナー部４６ｂである。
【００３３】
したがって、胴部４の横断面形状は、計８個のコーナー部４６ａ及び４６ｂがあることから、正確には８角形状である。しかし、このような形状であっても、上記の「略長方形の横断面形状」に含まれることは言うまでもない。これは、横断面形状において、コーナー壁４５が他の壁４１〜４４に比べて長さが短いゆえに、各壁４１〜４４の間が丸面取りされているとみることもでき、結果的に正確には８角形状の横断面形状は、全体としてみれば「略長方形」に分類されると言えるからである。
【００３４】
再び図１及び図２に戻って説明する。
胴部４は、上下方向に沿って３つのエリアに区分けされおり、上側胴部５１、中部胴部５２及び下側胴部５３からなる。この区分けの基準は、重心Ｇ、凹部５６，５７及び柱部５８が存在するか否かであり、これらが存在するところを中部胴部５２としている。中部胴部５２の高さは、上側胴部５１及び下側胴部５３の高さよりも僅かに高いが、同程度であってもよい。上側胴部５１、中部胴部５２及び下側胴部５３は、同じ横断面形状で形成されている。
【００３５】
ただし、上側胴部５１、中部胴部５２及び下側胴部５３の各横断面形状は、基本的に略長方形であれば、互いに異なっていてもよい。例えば、上側胴部５１、中部胴部５２及び下側胴部５３は、互いに相似の横断面形状で形成されてもよいし、いずれかにくびれを形成してもよい。
【００３６】
胴部４は、上記した凹リブ１１、１２のほか、凹部５６，５７の上側及び下側にそれぞれ凹リブ１３，１４を有している。これら凹リブ１１〜１４は、縦断面が台形からなると共に周方向に連続しており、ボトル１の横強度を高める。また、ボトル１の横強度は、凹リブ１２と凹リブ１４との間で周方向に連続する環状溝１５によって更に高められている。ここでは、凹リブ１１と凹リブ１３との間のエリアが上側胴部５１であり、凹リブ１３と凹リブ１４との間のエリアが中部胴部５２であり、凹リブ１４と凹リブ１２との間のエリアが下部胴部５３である。
【００３７】
上側胴部５１は、前後の壁４１，４２に減圧吸収用のパネル部７１を有している。また、上側胴部５１は、左右の側壁４３，４４に上下３つの溝７２を有している。同様に、中部胴部５２は、左右の側壁４３，４４に上下４つの溝７３を有している。溝７２及び７３は、縦断面が半円形からなり、上側胴部５１及び中部胴部５２の横強度を高める。溝７２，７３は、左右の側壁４３，４４をそれぞれ超えてコーナー壁４５、４５にまで延在するが、溝７２，７３の両端は、コーナー部４６ａとコーナー部４６ｂとの間に位置している。
【００３８】
凹部５６，５７は、人の指先を挿入できて収めることができ、しかもその挿入された指先を引っ掛けることができる深さ、高さ及び幅を有している。凹部５６，５７は、高さレベルにおいて、重心Ｇの近傍にあり、より詳細には重心Ｇよりも僅かに下側にある。凹部５６，５７は、前後の壁４１，４２に二つずつの計４つが形成されている。
【００３９】
具体的には、図４に示すように、前壁４１には、凹部５６と凹部５７とが柱部５８を隔てて左右に形成されている。同様に、後壁４２にも、凹部５６と凹部５７とが柱部５８を隔てて左右に形成されている。前後の凹部５６，５６同士は対向していると共に、前後の凹部５７，５７同士も対向している。柱部５８は、左右方向の中間位置にあり、上側部分が細長く且つ下側部分が平面視三角形からなる（図１参照）。柱部５８によって、中部胴部５２の縦強度が高められている。
【００４０】
凹部５６，５７は、異なる形状で構成してもよいが、ここでは同じ形状で構成されている。凹部５６，５７は、それぞれ、底壁９１と、底壁９１の周縁から立ち上がる周壁９２と、からなる。底壁９１は、中心軸Ｙ−Ｙに平行な平坦面からなる。周壁９２は、柱部５８側の側壁９４、側壁９４に対向する側壁９５、上側の側壁９６及び下側の側壁９７からなる。なお、上記のとおり、胴部４は左右対称及び前後対称であるので、以下では、凹部５６，５７の一方に焦点をおいて説明する場合がある。
【００４１】
側壁９４は、側壁９５よりも、底壁９１からの立ち上がり角度（傾斜角度）が緩やかである。これにより、比較的緩やかな側壁９４によって指先を挿入し易くできると共に、比較的急な側壁９５によってリブ効果を発揮できる。また、側壁９４は、上側部位が中心軸Ｙ−Ｙと平行に延在し、下側部位が下方に向かって側壁９５の方へと傾斜している。これにより、挿入した親指を側壁９５に沿わせると、親指の先端が中心軸Ｙ−Ｙ側に傾くようになる。したがって、飲料を注ぐためにボトル１を傾けたときに、凹部５６での親指の収まりが安定するので、飲料を注ぎ易い。
【００４２】
側壁９５は、中心軸Ｙ−Ｙと平行に延在する。側壁９５は、底壁９１から最も遠い頂部９８を有する。頂部９８は、コーナー部４６ｂに沿って中心軸Ｙ−Ｙと平行に延在する。飲料を注ぐためにボトル１を傾けると、側壁９５に指が引っ掛けられることが多い。したがって、側壁９５には強度が求められる。この点、略方形の横断面形状において辺部よりも強度が高いコーナー部４６ｂに頂部９８を位置させているので、側壁９５の強度が高められている。
【００４３】
側壁９６は、側壁９４と側壁９５との間の上側部分を連結する。側壁９６は、上方に膨らむように湾曲している。これにより、指先が側壁９６に接する場合には、側壁９６の湾曲面に指先がフィットし易い。一方、側壁９７は、側壁９４と側壁９５との間の下側部分を連結する。側壁９７は、側壁９６よりも小さい曲率半径で下方に湾曲している。好ましくは、側壁９７は親指の第１関節が収まるような大きさ及び曲率半径で形成されるとよい。こうすることで、親指が側壁９７で固定されるようになり、注ぐ時のボトル１の傾斜姿勢を安定させ得る。
【００４４】
以上説明したように、本実施形態のボトル１によれば、人は少なくとも一対の凹部５６，５７の一方には指を容易に収めて引っ掛けることができる。例えば、通常の手の大きさの人にとっては、手の平に近い例えば前後の凹部５６，５６を利用でき、一方で手が大きい人にとっては、手の平から遠い前後の凹部５７，５７を利用できる。このようなユニバーサルデザインとすることによって、手の大きさを問わず、左右のどちらからでも同じ条件でボトル１を片手で把持できる。
【００４５】
特に、人は重心Ｇに近い凹部５６又は５７に容易に指を引っ掛けることができるので、ボトル１を安定して把持でき、片手での持ち易さ、握り易さ及び注ぎ易さを向上できる。加えて、凹部５６，５７が重心Ｇよりも僅かに下側にあるので、減容後の飲料の注ぎ易さも確保できる。また、一対の凹部５６，５７の間には柱部５８があるので、胴部４の縦強度を確保することもできる。また、指を引っ掛けられることが多い側壁９５について、上記のように強度を好適に向上できる。
【００４６】
＜第２実施形態＞
次に、図５ないし図１０を参照して、第２実施形態に係るボトルについて相違点を中心に説明する。第１実施形態との主な相違点は、くびれ部５４，５５を追加したことである。以下、第２実施形態の構成のうち、第１実施形態と同一の構成については同一の符号を付してその詳細な説明を省略する。
【００４７】
図６及び図７に示すように、中部胴部５２は、重心Ｇ、凹部５６，５７及び柱部５８に加えて、くびれ部５４，５５を有する。くびれ部５４，５５は、中部胴部５２の高さの全域にわたって形成されている。また、くびれ部５４，５５は、凹部５６，５７と略同じ高さレベルにあるが、凹部５６，５７の上端及び下端を越えて上下方向に延在する。凹部５６，５７の上側の凹リブ７６によって、中部胴部５２の横強度が高められている。ただし、凹リブ７６は、周方向に非連続である。凹部５６，５７の下側の凹リブ７５は、下部胴部５３に位置している。
【００４８】
上側胴部５１及び下側胴部５３は、同じ略長方形の横断面形状で形成されている（図５及び図８参照）。一方、中部胴部５２の横断面形状は、くびれ部５４，５５の影響によって、上側胴部５１及び下側胴部５３の横断面形状よりも小さいものとなっている。ただし、上側胴部５１、中部胴部５２及び下側胴部５３の各横断面形状は、上記したように、基本的に略長方形（正確には８角形）である。
【００４９】
図９（Ａ）に示すように、くびれ部５４は左側壁４３に形成され、くびれ部５５は右側壁４４に形成されている。また、くびれ部５４は、左側壁４３を越えて、左側壁４３の両端に連続するコーナー壁４５、４５にまで延在する。同様に、くびれ部５５は、右側壁４４を越えて、右側壁４４の両端に連続するコーナー壁４５，４５にまで延在する。そして、くびれ部５４，５５は、胴部４を前側及び後側から見たときに（以下、「正面視」という。）、上側胴部５１及び下側胴部５３よりも内側へとへこむように湾曲している。換言すれば、くびれ部５４，５５は、正面視、その上下中間部が他の部位に比して最も絞られた形状を有する。
【００５０】
くびれ部５４，５５は、最も絞られた部分に溝８１を有し、この溝８１から上方及び下方に向かうにつれて外形が段階的に大きくなっている。このように、くびれ部５４，５５を上下方向に段状に形成することで、くびれ部５４，５５にリブ効果をもたせることができ、その強度を高めることができる。なお、上記のとおり、胴部４は左右対称及び前後対称であるので、以下の説明では、くびれ部５４，５５の一方に焦点をおく場合がある。
【００５１】
図９（Ａ）に示すように、くびれ部５４，５５は、それぞれ、前後の両端８３，８３がコーナー部４６ｂの延長線にまで達する。このため、上記の溝８１の両端は、閉じられておらず、前後の凹部５６，５６又は前後の凹部５７，５７内に直接開放している。また、図９（Ｂ）に示すように、くびれ部５４は、胴部４を左側から見たときに、両端８３，８３が上側胴部５１及び下側胴部５３よりも内側へと凹状に湾曲している。このため、くびれ部５４の位置では奥行きが短くなる。
【００５２】
図１０に示すように、凹リブ７５の底面７５ａの横断面形状は、凹リブ７５のない部分１００における横断面形状と非相似である。具体的には、部分１００の横断面形状では、上記のとおり、コーナー部４６ａ及び４６ｂの丸面取りの半径がそれぞれ１０ｍｍ（Ｒ１０）である。これに対し、底面７５ａの横断面形状では、コーナー部４６ａ，４６ｂに対応する部位がそれぞれ二つずつ丸面取りされており、その半径が１０ｍｍ（Ｒ１０）となっている。このように、両者の横断面形状を単純にオフセットしたものとしていないので、凹リブ７５による補強効果を高めることができる。なお、上記した凹リブ１１，１２も同様に補強効果が向上されている。
【００５３】
以上説明したように、本実施形態のボトル１によれば、第１実施形態と同様に、ボトル１の片手での持ち易さを改善できる。特に有利となるのは、くびれ部５４によって左側壁４３から凹部５６までの距離を短くでき、くびれ部５５によって右側壁４４から凹部５７までの距離を短くできることである。これにより、人は手を大きく開かなくとも、重心Ｇに近い凹部５６、５７に指を収めてボトル１を把持できる。よって、片手での持ち易さをより一層向上できる。
【００５４】
＜その他＞
次に、図１１ないし図１４を参照して、その他のボトル１１０について相違点を中心に説明する。第２実施形態との主な相違点は、くびれ部及び凹部である。
【００５５】
図１１ないし図１３に示すように、胴部１４０は、肩部１３０と底部１５０との間にあり、略長方形の横断面形状を有している。上側胴部１５１は、二つの凹リブ２０１，２０２に挟まれる領域であり、下側胴部１５３は、二つの凹リブ２０３，２０４に挟まれる領域である。中部胴部１５２は、上側胴部１５１と下側胴部１５３との間にあり、重心Ｇ、くびれ部１５４，１５５及び凹部１５６，１５７を有する。
【００５６】
くびれ部１５４，１５５は、左右の側壁１４３、１４４にそれぞれ形成されている。くびれ部１５４，１５５は、正面視、綾線を含む輪郭が略弓形からなり、上側胴部１５１及び下側胴部１５３よりも内側に湾曲している。くびれ部１５４，１５５の最も絞られた部分は、上側胴部１５１及び下側胴部１５３よりも例えば約５ｍｍ内側に位置する。くびれ部１５４，１５５は、それぞれ、前後の両端１８３，１８３がコーナー部１４６ｂの延長線上にまで達しているが、凹部１５６，１５７にまでは達していない。くびれ部１５４，１５５には凹溝１９０が上下に三列形成されており、凹溝１９０によってくびれ部１５４，１５５にリブ効果がもたらされ得る。
【００５７】
図１４に示すように、凹部１５６，１５７は、前壁１４１及び後壁１４２のそれぞれに、柱部１７７を隔てて左右に形成されている。凹部１５６，１５７は、重心Ｇの近傍に位置しており、挿入された人の指先を引っ掛けることができるように形成されている。凹部１５６，１５７の高さは、くびれ部１５４，１５５の高さ（例えば２０ｍｍ以上）と略同程度である。凹部１５６，１５７の深さは、例えば６ｍｍ以上である。
【００５８】
このボトル１１０によれば、上記のボトル１と同様に、くびれ部１５４，１５５によって左右の側壁１４３，１４４から凹部１５６，１５７までの距離が短くなっているので、人は重心Ｇに近い凹部１５６又は１５７を利用してボトル１１０を把持できる。したがって、片手での持ち易さ、握り易さ及び注ぎ易さを向上できる。
【図面の簡単な説明】
【００５９】
【図１】第１実施形態に係るプラスチックボトルの前面図である。
【図２】図１のプラスチックボトルの左側面図である。
【図３】図１のプラスチックボトルの底面図である。
【図４】図１のＩＶ−ＩＶ線で切断した断面図である。
【図５】第２実施形態に係るプラスチックボトルの斜視図である。
【図６】図５のプラスチックボトルの前面図である。
【図７】図５のプラスチックボトルの左側面図である。
【図８】図５のプラスチックボトルの上面図である。
【図９】（Ａ）は図５プラスチックボトルの中部胴部を拡大して示す前面図であり、（Ｂ）はその左側面図である。
【図１０】図６のＸ−Ｘ線で切断した断面図である。
【図１１】その他のプラスチックボトルの前面図である。
【図１２】図１１のプラスチックボトルの左側面図である。
【図１３】図１１のプラスチックボトルの底面図である。
【図１４】図１１のＸＩＶ−ＸＩＶ線で切断した部分の断面図である。
【符号の説明】
【００６０】
１：ボトル、  ２：口部、  ３：肩部、  ４：胴部、  ５：底部、  １１，１２：凹リブ、  ４１：前壁、  ４２：後壁、  ４３：左側壁、  ４４：右側壁、４５：コーナー壁、  ４６ａ，４６ｂ：コーナー部、  ５１：上側胴部、  ５２：中部胴部、  ５３：下側胴部、  ５４，５５：くびれ部，  ５６，５７：凹部、  ５８：柱部、  ７５：凹リブ、  ７７：柱部、  ９１：底壁、  ９２：周壁、  ９４：側壁（第１の側壁）、  ９５：側壁（第２の側壁）、  ９６：側壁（第３の側壁）、  ９７：側壁、Ｙ−Ｙ：中心軸、Ｇ：重心
【図１】
2009096511.tif 000003
【図２】
2009096511.tif 000004
【図３】
2009096511.tif 000005
【図４】
2009096511.tif 000006
【図５】
2009096511.tif 000007
【図６】
2009096511.tif 000008
【図７】
2009096511.tif 000009
【図８】
2009096511.tif 000010
【図９】
2009096511.tif 000011
【図１０】
2009096511.tif 000012
【図１１】
2009096511.tif 000013
【図１２】
2009096511.tif 000014
【図１３】
2009096511.tif 000015
【図１４】
2009096511.tif 000016